(57)【要約】【目的】本発明にかかる可変側溝では可変側溝本体のみならず、インバートコンクリートについても工場等で予め製作してコンクリート二次製品として構成し、インバートコンクリートに対する可変側溝本体の接続及び可変側溝の施工をスムーズに行え、接続強度も強固になし得、泥水等の滞留を確実に防止できる可変側溝及び可変側溝の敷設工法を提供することを目的とするものである。【構成】本発明は、予め製造された断面略門型状をなす可変側溝本体と底部に敷設される予め製造されたインバートコンクリートとを備えた可変側溝であり、下端部内側面は先細り状の傾斜面として形成してなり、両下端部間に装着されるインバートコンクリートの両装着面を略山状斜面として形成し、上面にはＵ字溝条を設けると共に、幅方向両端部から中央部に向かって下り傾斜面に形成した、ことを特徴とする。【選択図】                図１
2006045923.tif 000002
【特許請求の範囲】
【請求項１】
予め製造された断面略門型状をなす可変側溝本体と、該可変側溝本体の底部に敷設される予め製造されたインバートコンクリートとを備えた可変側溝であり、
前記可変側溝本体の下端部内側面は基端部から先端部側に向けて先細り状の傾斜面として形成してなると共に、前記可変側溝の両下端部間に装着される前記インバートコンクリートの両装着面を前記両傾斜面に掛合する略山状斜面として形成し、上面には幅方向中央位置にインバートコンクリート長手方向へ延出するＵ字溝条を設けると共に、幅方向両端部から中央部に向かって下り傾斜面に形成した、
ことを特徴とする可変側溝。
【請求項２】
予め製造され、コンクリート二次製品として形成された前記インバートコンクリートを施工箇所に敷設し、
次いで、該インバートコンクリート両装着面に前記可変側溝本体の両下端部側面が上方より下方へスライド嵌合可能にして前記可変側溝本体を前記インバートコンクリートに接続して敷設する、
ことを特徴とする可変側溝の敷設工法。
【請求項３】
前記予め製造される断面略門型状をなす可変側溝本体と、該可変側溝本体の底部に敷設される予め製造される前記インバートコンクリートとを一体成形して予めコンクリート二次製品とした可変側溝を形成してなり、
前記インバートコンクリートの上面には幅方向中央位置にインバートコンクリート長手方向へ延出するＵ字溝条が設けてあると共に、幅方向両端部から中央部に向かっては下り傾斜面に形成してある、
ことを特徴とする可変側溝。
【発明の詳細な説明】
【技術分野】
【０００１】
本発明は、例えば道路の脇に敷設される可変側溝に関するものである。
【背景技術】
【０００２】
従来、特開平１０−１４０６４１号公報に記載されているように、可変側溝については多くの特許出願がなされ、多くの特許も取得されている。
【０００３】
しかしながら、その可変側溝の多くは施工現場で施工して作製するタイプのものであり、特にインバートコンクリートに関しては該インバートコンクリートを工場等でコンクリート二次製品として予め製造し、製造工場から施工現場に運搬して使用するタイプのものはほとんどみかけられなかった。
【特許文献１】特開平１０−１４０６４１号公報
【発明の開示】
【発明が解決しようとする課題】
【０００４】
本発明にかかる可変側溝では可変側溝本体のみならず、インバートコンクリートについても工場等で予め製作してコンクリート二次製品として構成し、もってインバートコンクリートに対する可変側溝本体の接続及び可変側溝の施工をスムーズに行えると共に、その接続強度も強固になし得、さらには施工した可変側溝内を流れる泥水等の滞留を確実に防止できる可変側溝及び可変側溝の敷設工法を提供することを目的とするものである。
【課題を解決するための手段】
【０００５】
本発明による可変側溝及び可変側溝の敷設工法は、
予め製造された断面略門型状をなす可変側溝本体と、該可変側溝本体の底部に敷設される予め製造されたインバートコンクリートとを備えた可変側溝であり、
前記可変側溝本体の下端部内側面は基端部から先端部側に向けて先細り状の傾斜面として形成してなると共に、前記可変側溝の両下端部間に装着される前記インバートコンクリートの両装着面を前記両傾斜面に掛合する略山状斜面として形成し、上面には幅方向中央位置にインバートコンクリート長手方向へ延出するＵ字溝条を設けると共に、幅方向両端部から中央部に向かって下り傾斜面に形成した、
ことを特徴とし、
予め製造され、コンクリート二次製品として形成された前記インバートコンクリートを施工箇所に敷設し、
次いで、該インバートコンクリート両装着面に前記可変側溝本体の両下端部側面が上方より下方へスライド嵌合可能にして前記可変側溝本体を前記インバートコンクリートに接続して敷設する、
ことを特徴とし、
または、
前記予め製造される断面略門型状をなす可変側溝本体と、該可変側溝本体の底部に敷設される予め製造される前記インバートコンクリートとを一体成形して予めコンクリート二次製品とした可変側溝を形成してなり、
前記インバートコンクリートの上面には幅方向中央位置にインバートコンクリート長手方向へ延出するＵ字溝条が設けてあると共に、幅方向両端部から中央部に向かっては下り傾斜面に形成してある、
ことを特徴とするものである。
【発明の効果】
【０００６】
本発明による可変側溝及び可変側溝の敷設工法であれば、
可変側溝本体のみならず、インバートコンクリートについても工場等で製作してコンクリート二次製品となし、かつ施工現場においてインバートコンクリートに対する可変側溝本体の接続をスムーズに行えると共に、その接続強度も高い。
【０００７】
また、施工した可変側溝内を流れる泥水等の滞留を確実に防止できるとの優れた効果を奏する。
【発明を実施するための最良の形態】
【０００８】
以下本発明の実施例を図に基づいて説明する。
【０００９】
本発明による可変側溝は予め製造された略門型状をなす可変側溝本体１と、この可変側溝本体１の底部に敷設され、前記可変側溝本体１と接続される予め製造されたインバータコンクリート２等を備えて構成される。
【００１０】
この略門型状をなす可変側溝本体１の上面幅方向略中央位置には可変側溝本体１の長手方向へ向かい直線状のスリット３が設けられている。
【００１１】
該スリット３は可変側溝本体１上面外側とその内部側とを連通して構成されており、上面の上側スリット開口より下側スリット開口に向かってはそのスリット開口幅が拡開された形で設けられている。
【００１２】
符号４は先端欠損防止突起であり、長手方向両端面の上部に一対設けられている。これにより可変側溝を長手方向へ接続したとき、たとえ地盤沈下等により接続箇所に陥没が生じて、接続部が下側に折れ曲がり可変側溝の先端部同士が衝突寸前となっても、該先端欠損防止突起４，４同士が当接することで前記先端の欠損を未然に防止することができる。
【００１３】
さらに符号５は側面排水溝を示し、可変側溝本体１の上端部外側面より可変側溝本体１の内部側に向かい下り勾配をもって形成されている。
【００１４】
ところで可変側溝本体１の下端側内側面はその基端部側から先端部側に向けて先細り状の傾斜面６として形成されている。
【００１５】
そしてインバートコンクリート２の幅方向両端側に設けられている被装着面７，７は前記可変側溝本体１を上方から降下させてインバートコンクリート２の上に敷設するとき、その両傾斜面６，６がインバートコンクリート２に嵌め込みやすいよう幅方向両端部から中央に向かって上り勾配に傾斜する略山状斜面として形成されている。
【００１６】
従って、インバートコンクリート２と可変側溝本体１との接続が簡単に行えるものとなり、またその接続状態も可変側溝本体１に荷重がかかるたびに下方に移動し、もってインバートコンクリート２の被装着面７と可変側溝本体１の傾斜面６との当接を緊密な当接状態とすることが出来る。
【００１７】
さらにこのインバータコンクリート２は図１及び図２から理解されるようにその上面には幅方向略中央位置に断面略Ｕ字状をなすＵ字溝条９が設けられている。  さらに、この上面は幅方向両端部から中央に向かって下り傾斜面１０，１０として形成してある。
【００１８】
そして、前記可変側溝本体１及び前記インバートコンクリート２についても予めコンクリート二次製品として工場等で製造されており、現場においてはこれらのコンクリート二次製品を単に接続するだけでよいものとされている。
【００１９】
符号１１は基礎砕石を示し、現場施工において水平状態にして敷設される。
【００２０】
その基礎砕石１１上に敷モルタル１２が敷設され、さらに、この敷モルタル１２上にコンクリート二次製品として予め製造されたインバートコンクリート２が水平状態に敷設される。
【００２１】
該インバートコンクリート２の敷設が終了した後、略門型状をなす可変側溝本体１が前記インバートコンクリート２の両被装着面７，７間に可変側溝本体１の両傾斜面６，６がはまり合うように敷設される。
【００２２】
本発明によれば、可変側溝本体１をインバートコンクリート２に接続するときには、当該可変側溝本体１の両下端部は基端部側から先端部側に向かって先細り状の傾斜面６，６とされているため、図１，図２，図３，図４などに示すようにインバートコンクリート２の両被装着面７，７に対し可変側溝本体１の両傾斜面６，６は間隔のある状態、すなわちはめ込みスペースに余裕をもたせた状態で上方より下方に降下させることが出来る。
【００２３】
そしてこのことは可変側溝本体１を降下して接続させる作業が容易で安全であることを意味する。
【００２４】
しかも、徐々に可変側溝本体１を降ろすとインバートコンクリート２の両被装着面７，７に可変側溝本体１の両傾斜面６，６が自動的にスムーズにスライドして掛合することとなり、しかも隙間のない緊密な状態として接続できること前述の通りである。
【００２５】
ところで、インバートコンクリート２の幅方向略中央位置には、長手方向に向かってＵ字溝条９が設けられ、さらに幅方向両端部から中央部に向かっては下り傾斜する下り傾斜面１０，１０が形成されていることも前述の通りである。
【００２６】
通常の状態では、敷設されている可変側溝内を流れる泥水を含む雨水等の水量は極めて少なく、そのため水深が浅くて流速も遅いので図６に示す従来型のインバートコンクリートを使用した場合は、雨水に混在した泥、土砂がインバートコンクリート上面全体部分に堆積してしまい、もってそれが積もり積もって雨水の流れを妨げてしまうという恐れがあった。
【００２７】
これに対して本発明では、インバートコンクリート２の幅方向略中央にＵ字溝条９を設けているため、通常はこのＵ字溝条９内を泥水を含んだ雨水が流れることになり、もってその雨水等の水深をこのＵ字溝条９内において深くすることができると共に、水深を深くした結果その流速をはやめることもできる。
【００２８】
そしてインバートコンクリート２の上面全体には汚泥などの土砂が堆積しにくいという効果をもたらすことになる。
【００２９】
さらにインバートコンクリート２の上面は幅方向両端部より略中央に向かって緩やかな下り傾斜面１０，１０として形成されているため、インバートコンクリート２上面に流れ込んだ雨水はこの下り傾斜面１０，１０上を通って略中央のＵ字溝条９に常に集水されることになる。
【００３０】
尚、図６はインバートコンクリート２と可変側溝本体１とを工場等において予め一体のコンクリート二次製品として製造した実施例である。
【００３１】
このような一体形状のコンクリート二次製品たる可変側溝を製造すれば、施工現場において基礎砕石１１及び敷モルタル１２上に単に設置すればよく、インバートコンクリート２と可変側溝本体１との接続作業さえも不要となる。
【図面の簡単な説明】
【００３２】
【図１】本発明による可変側溝の構成説明図である。
【図２】本発明によるインバートコンクリートの構成説明図である。
【図３】本発明による可変側溝の敷設状態を説明する説明図（その１）である。
【図４】本発明による可変側溝の敷設状態を説明する説明図（その２）である。
【図５】本発明による可変側溝と集水桝とを接続して敷設した状態を説明する説明図である。
【図６】本発明による可変側溝の変形例を説明する説明図である。
【図７】従来例のインバートコンクリートを説明する説明図である。
【符号の説明】
【００３３】
１    可変側溝本体  
２    インバートコンクリート
３    スリット
４    先端欠損防止突起
５    側面排水溝
６    傾斜面
７    被装着面
９    Ｕ字溝条
１０    下り傾斜面
１１    基礎砕石
１２    敷モルタル
【図１】
2006045923.tif 000003
【図２】
2006045923.tif 000004
【図３】
2006045923.tif 000005
【図４】
2006045923.tif 000006
【図５】
2006045923.tif 000007
【図６】
2006045923.tif 000008
【図７】
2006045923.tif 000009